(57)【要約】【課題】  荷物の出し入れが容易であると共に、構造の簡略化による軽量化とコストの低減が可能なトノカバーの提供。【解決手段】  トノカバーシート２は、その基端部２５側がトノカバーボード１の前端縁部１ｃ側に連結され、先端部２６側が座席４に対し着脱可能に構成され、トノカバーシート２は、トノカバーボード１の下面１ｂ側に収納可能で、該トノカバーボード１にはその下面１ｂ側に収納したトノカバーシート２を固定する固定バンド３が備えられている。【選択図】        図１
2009190544.tif 000002
【特許請求の範囲】
【請求項１】
車両荷室を覆う状態に備えられるトノカバーボードと該トノカバーボードと座席との間を覆うトノカバーシートより成るトノカバーであって、
前記トノカバーシートは、その基端側が前記トノカバーボードの前部に連結され、先端側が内装部品に対し着脱可能に構成され、
前記トノカバーシートは、前記トノカバーボードの下面側に収納可能で、該トノカバーボードにはその下面側に収納した前記トノカバーシートを固定する固定手段が備えられていることを特徴とするトノカバー。
【請求項２】
前記トノカバーボードは外周縁部に下向きフランジを有する断面略門型に形成され、その前端縁部側を支軸として後部を持ち上げて開閉可能に構成されていることを特徴とする請求項１に記載のトノカバー。
【請求項３】
前記トノカバーシートは折り畳み可能であって、前記トノカバーボードの下面側に折り畳まれた状態で収納されることを特徴とする請求項２に記載のトノカバー。
【請求項４】
前記トノカバーシートに折畳み部が形成されていることを特徴とする請求項３に記載のトノカバー。
【請求項５】
前記折畳み部が縫製されていることを特徴とする請求項４に記載のトノカバー。
【請求項６】
前記固定手段が固定バンドで構成され、該固定バンドはそのトノカバーボードへの取付部が前記トノカバーボードの後端縁部側に連結され、前記トノカバーボードへの係止部が前記トノカバーボードの前端縁部側に着脱可能に連結されていることを特徴とする請求項１〜５のいずれか一項に記載のトノカバー。
【請求項７】
前記固定バンドが前記トノカバーボードの前端縁部側と後端縁部側との間を略Ｗ字状に配され、前記トノカバーボードの取付部として該略Ｗ字状の両端部と中央部の３点が前記トノカバーボードへの後端縁部側に連結され、前記トノカバーボードへの係止部として前記略Ｗ字状の他の２点が前記トノカバーボードの前端縁部側に着脱可能に連結されていることを特徴とする請求項６に記載のトノカバー。
【請求項８】
前記トノカバーシートの基端部が、前記トノカバーボードの前端縁部側内面へ該内面に沿わせた状態で連結されると共に、該連結部には前記固定バンドの係止部に設けられた係止部材の被係止側が着脱可能に係止される係止部材の係止側が設けられ、前記トノカバーシートが前記基端部の連結部で折り返される位置と折り返されない位置に回動されて使用状態と収納状態を形成し、折り返された位置にあるときに前記連結部に設けられた係止部材の係止側が覆われるトノカバーシート基端部の折り返し部に開口部が穿設されていることを特徴とする請求項１〜７のいずれか一項に記載のトノカバー。
【請求項９】
内装部品は前記座席であって、前記トノカバーシートの先端部に係合フックが設けられ、該係合フックを前記座席に設けられたヘッドレストの支柱に対し着脱自在に係合して前記トノカバーボードを座席に連結させたことを特徴とする請求項１〜８のいずれか一項に記載のトノカバー。
【発明の詳細な説明】
【技術分野】
【０００１】
本発明は、車両後方荷室を覆う状態に備えられるトノカバーボードと該トノカバーボードと座席との間を覆うトノカバーシートより成るトノカバーに関する。
【背景技術】
【０００２】
従来のトノカバーとしては、トノカバーシートをトノカバーボードに備えた巻取装置に巻き取り収納させる巻き取り収納式のもの（例えば、特許文献１参照）が知られている。
【特許文献１】特開２００２−１４４９６２号公報
【発明の開示】
【発明が解決しようとする課題】
【０００３】
しかしながら、従来例の巻き取り収納式のものは、トノカバーシートが垂れ下がることがないので、荷物の出し入れがし易いというメリットはあるが、巻き取り装置が必要で構造が複雑となる。
【０００４】
また、構成部品が多く重量も重くなるため、トノカバーの車体への取付部の構造、及び取付部の車体側支持強度を高める補強が必要になるという問題がある。
【０００５】
本発明は、上述のような従来の問題点に着目して成されたもので、荷物の出し入れが容易であると共に、構造を簡略化して軽量化とコストの低減が可能なトノカバーを提供することを目的としている。
【課題を解決するための手段】
【０００６】
上述の目的を達成するために、本発明のトノカバーは、トノカバーシートは、その基端側がトノカバーボードの前部に連結され、先端側が内装部品に対し着脱可能に構成され、トノカバーシートは、トノカバーボードの下面側に収納可能で、該トノカバーボードにはその下面側に収納したトノカバーシートを固定する固定手段が備えられていることを特徴とする手段とした。
【発明の効果】
【０００７】
本発明によれば、トノカバーシートはトノカバーシートの先端側を内装部品から外し、トノカバーボードの前部に連結されたトノカバーシートの基端側を中心にトノカバーボードの下面側に回動して収納でき、トノカバーボードにはその下面側に収納したトノカバーシートを固定する固定手段が備えられていることで、トノカバーシートをトノカバーボードの下面側に固定して収納することができる。
【０００８】
このため、トノカバーシート収納時に、トノカバーボード下の荷室に垂れ下がることがなく、荷室を遮らずトノカバーボード下の荷室へ荷物の出し入れが容易に行えるようになる。
【０００９】
また、トノカバーボードとトノカバーシートと固定手段とで構成され、従来の巻き取り収納式のものに比べて構造が簡単で部品点数が少なく、重量を軽くできるため、トノカバーの車体への取付部の構造や取付部の車体側支持強度を高めるための補強の必要もないため、コストの低減が可能になるという効果が得られる。
【発明を実施するための最良の形態】
【００１０】
以下に、本発明の実施例を図面に基づいて説明する。
【実施例１】
【００１１】
図１はこの実施例のトノカバーにおけるトノカバーシート使用状態を示す斜視図、図２は実施例のトノカバーにおけるトノカバーシートの使用状態を示す底面側斜視図、図３は実施例のトノカバーにおけるトノカバーシートの折り畳み収納状態を示す底面図、図４は実施例のトノカバーにおけるトノカバーシート使用状態を示す断面説明図、図５は図４のＡ部詳細図、図６は実施例のトノカバーにおけるトノカバーシート折り畳み収納状態を示す断面説明図、図７は図６のＢ部詳細図である。
【００１２】
この実施例のトノカバーは、図１、２、４に示すように、車両後方荷室を覆う状態に備えられるトノカバーボード１と、該トノカバーボード１と２列座席の後部席である座席（内装部品）４との間を覆うトノカバーシート２と、固定手段としての固定バンド３とを備えている。
【００１３】
さらに詳述すると、上記トノカバーボード１は、図１、３、４に示すように、外周縁部１１の全周に亘って下向きフランジ１１ａ〜１１ｄを有している。
そして、このトノカバーボード１の上面１ａはその外周１ｇが盛り上がった凹部１ｈを有する皿状に形成され、車両前後方向断面及び車両幅方向断面と共に断面略門型に形成され、その前端縁部１ｃ側を支軸として後端縁部１ｄ側を持ち上げて開閉可能に構成されている。
【００１４】
即ち、図１、２に示すように、左端縁部１ｅを形成する左側の下向きフランジ１１ｃと右端縁部１ｆを形成する右側の下向きフランジ１１ｄのトノカバーボード１前端縁部１ｃ側に下端が開口され逆Ｕ字状に切欠されたラゲッジサイドトリム嵌合孔１１ｇが形成されている。
【００１５】
そして、車両後方荷室の左右両側に備えたラゲッジサイドトリム（図示せず）に設けられ、このラゲッジサイドトリムから車両後方荷室の中央に向かって突出した先端が塞がれた円筒状のトノカバーボード嵌合突起（図示せず）に上記ラゲッジサイドトリム嵌合孔１１ｇを嵌合することにより、このラゲッジサイドトリムに設けられたトノカバーボード嵌合突起を支軸としてトノカバーボード１の後端縁部１ｄ側を持ち上げてトノカバーボード１を開閉可能に構成されている。
【００１６】
また、このラゲッジサイドトリム嵌合孔１１ｇをその開口からトノカバーボード嵌合突起に差し込み、あるいは、外すことにより、トノカバーボード１をラゲッジサイドトリムに対し着脱することができる。
【００１７】
そして、ラゲッジサイドトリムの車両後方荷室後部には、トノカバーボード１に形成された左右の下向きフランジ１１ｃ、１１ｄの下端縁１１ｅ、１１ｆの後端縁１ｄ側が載置されるトノカバーボード支持段部（図示せず）が車両後方荷室の中央に向かって突出して設けられ、トノカバーボード１が車両後方荷室のラゲッジサイドトリムに支持される。
【００１８】
また、バックドアの上部で車幅方向の両端に突出して設けられたピン状の係合部（図示せず）に対し、先端に設けたフック１２ａ、１２ａで着脱可能な２本の紐１２、１２がトノカバーボード１の後端縁１ｄの車幅方向両端部に設けられている。この２本の紐１２によってバックドアを開けるとトノカバーボード１のラゲッジサイドトリム嵌合孔１１ｇを嵌合したトノカバー嵌合突起を支軸としてトノカバーボード１の後端縁１ｄ側が連動して開かれるようになっている。
【００１９】
なお、トノカバーボード１を外すときは、このフック１２ａをピン状の係合部から外してから行う。
【００２０】
上記トノカバーシート２は、図１〜３に示すように、左右２分割（座席の分割に合わせて左側が２席分で右側が１席分の広さの割合で分割）されている。この分割された左右両トノカバーシート２ａ、２ｂは、図４、５に示すように、その基端部（基端側）２５をトノカバーボード１の前端縁部（前部）１ｃを形成する前側の下向きフランジ１１ａの内側となる内面１３に、その基端部２５をその端部を下の床面に向けてこの内面１３に沿わせた状態でそれぞれ独立に連結固定されている。
【００２１】
また、左右両トノカバーシート２ａ、２ｂの先端部（先端側）２６には、それぞれその前端部に、前方が開口された挿入切欠を有するＣ字状の係合フック２１が設けられ、この係合フック２１を左右両座席４、４におけるヘッドレスト４１の支柱４２に対し着脱自在に係合して連結されるように構成されている。
【００２２】
また、両トノカバーシート２ａ、２ｂは、布または不織布が用いられ折り畳み、折り重ね、折り返し自在の柔軟な材質で構成され、その基端部２５と先端部２６の略中間部には、この中間部を折り曲げて重ね縫製することにより、折り畳み易くする折り目を付けた折畳み部２２が形成され、この折畳み部２２を中心として２つに折り畳み可能で、トノカバーボード１の下面１ｂ側に折り重ねて収納可能に構成されている。
【００２３】
上記固定バンド３は、図２、３に示すように、トノカバーボード１の下面１ｂ側に折り重ねて収納された両トノカバーシート２ａ、２ｂを折り重ね収納状態に固定させる役目をなす。
【００２４】
即ち、この固定バンド３は、この実施例では、上記トノカバーボード１の前端縁部１ｃと後端縁部１ｄとの間を平面視略Ｗ字状に形成されて配置されている。そして、トノカバーボード１への取付部として該略Ｗ字状の両端部３ａ、３ｂと中央部３ｃの３点がトノカバーボード１における後側の下向きフランジ１１ｂの内側であるトノカバーボード１の後端縁部１ｄの内面１４にそれぞれ連結固定され、トノカバーボード１への係止部として略Ｗ字状の他の２点３ｄ、３ｅがトノカバーボード１の前端縁部１ｃの内面１３に対しそれぞれホック３１、３１で着脱可能に連結されるようになっている。
【００２５】
上記ホック３１、３１は、図４、５に示すように、トノカバーシート２ａ、２ｂの固定手段である固定バンド３をトノカバーボード１の前端縁部１ｃに係止する係止部材である。
【００２６】
即ち、このホック３１、３１は、トノカバーボード１の前端縁部１ｃの内面１３に設けられる係止側のホック３１ｂ、３１ｂと、この係止側のホック３１ｂ、３１ｂに着脱可能に係止される被係止側のホック３１ａ、３１ａとで構成され、この被係止側のホック３１ａ、３１ａが固定バンド３に設けられている。
【００２７】
上記係止側のホック３１ｂ、３１ｂは、トノカバーボード１の前端縁部１ｃに連結固定された両トノカバーシート２ａ、２ｂにおける基端部２５の連結部２４の内側面２４ａに備えられている。そして、各トノカバーシート２ａ、２ｂの使用時に係止側のホック３１ｂ、３１ｂが覆われる各トノカバーシート２ａ、２ｂ部分には、固定バンド３の係止部３ｄ、３ｅに設けられた被係止側の各ホック３１ａ、３１ａをそれぞれ係止側のホック３１ｂ、３１ｂに止めて連結させるための開口部２３、２３がそれぞれ穿設されている。
【００２８】
この開口部２３、２３は、トノカバーボード１の前端縁部１ｃに連結固定された両トノカバーシート２ａ、２ｂの基端部２５が各トノカバーシート２ａ、２ｂの使用時に連結部２４で折り返されて各トノカバーシート２ａ、２ｂの先端部２６を座席４、４へ連結されることにより、係止側のホック３１ｂ、３１ｂが覆われるので設けたものである。
【００２９】
即ち、この各トノカバーシート２ａ、２ｂの使用時には、固定バンド３がその取付部３ａ、３ｂ、３ｃからトノカバーボード１の下方に垂れ下がらないように、固定バンド３の係止部３ｄ、３ｅに設けられた被係止側のホック３１ａ、３１ａを係止側のホック３１ｂ、３１ｂに止めてトノカバーボード１の下面１ｂに沿って収納できるようにするためのものである。
【００３０】
上記構成を詳述すると、両トノカバーシート２ａ、２ｂの基端部２５がトノカバーボード１の前端縁部１ｃの内面１３へ、その基端部２５をその端部を下方へ向けてこの内面１３に沿わせた状態にして連結部２４で連結固定されている。
【００３１】
一方、連結部２４の内側面２４ａには、固定バンド３の係止部３ｄ、３ｅに向けられたホック３１、３１の被係止側のホック３１ａ、３１ａが着脱可能に係止されるホック３１、３１の係止側のホック３１ｂ、３１ｂが設けられている。
【００３２】
また、両トノカバーシート２ａ、２ｂがその基端部２５の連結部２４で折り返されるトノカバーシート２ａ、２ｂの使用位置と、折り返されないトノカバーシート２ａ、２ｂの収納位置に回動されて、トノカバーシート２ａ、２ｂの使用状態と収納状態を形成する。
【００３３】
この折り返されたトノカバーシート２ａ、２ｂの使用位置にトノカバーシート２があるとき、連結部２４の内側面２４ａに設けられたホック３１、３１の係止側のホック３１ｂ、３１ｂが覆われるトノカバーシート２の基端部２５の折り返し部２７にホック３１、３１よりも大きく開けた開口部２３、２３が穿設されている。
【００３４】
上述のように、この実施例では、左右２分割された各トノカバーシート２ａ、２ｂが、それぞれ独立して使用及び折り畳み収納が可能になっている。
【００３５】
次に、実施例の作用・効果について説明する。
【００３６】
この実施例のトノカバーでは、上述のように構成されるため、各トノカバーシート２ａ、２ｂの使用状態では、図４に示すように、各トノカバーシート２ａ、２ｂの先端部２６に備えた係合フック２１を座席４の左右各ヘッドレスト４１の支柱４２に嵌合係止させることにより、トノカバーボード１と座席４との間の隙間を各トノカバーシート２ａ、２ｂで覆った状態にすることができる。
【００３７】
なお、各トノカバーシート２ａ、２ｂの使用状態では、図５に示すように、固定バンド３の係止部の２点３ｄ、３ｅにそれぞれ備えた被係止側のホック３１ａを、各トノカバーシート２ａ、２ｂに形成された開口部２３を介して各トノカバーシート２ａ、２ｂの基端部２５の内面（内側面２４ａ）にそれぞれ備えた係止側のホック３１ｂに止めることにより、固定バンド３をトノカバーボート１の下面１ｂ側に沿って収納状態にすることができる。
【００３８】
また、図６、７に示すように、各トノカバーシート２ａ、２ｂを折り曲げて重ね縫製した折畳み部２２で２つに折り畳んで上下に重ねた折り重ね状態でトノカバーボード１の下面１ｂ側に沿って収納した状態では、固定バンド３の係止部の２点３ｄ、３ｅにそれぞれ備えた被係止側のホック３１ａを、トノカバーシート２ａ、２ｂに形成された開口部２３を介することなしに、各トノカバーシート２ａ、２ｂの基端部２５の内面（内側面２４ａ）にそれぞれ備えた係止側のホック３１ｂに止めることにより、各トノカバーシート２ａ、２ｂをトノカバーボード１の下面１ｂ側に沿って収納した状態に保持させることができる。
【００３９】
以上詳細に説明してきたように、この実施例のトノカバーでは、トノカバーシート２は、その基端部２５側がトノカバーボード１の前端縁部１ｃ側に連結され、先端部２６側が座席４に対し着脱可能に構成され、トノカバーシート２は、トノカバーボード１の下面１ｂ側に収納可能で、該トノカバーボード１にはその下面１ｂ側に収納したトノカバーシート２を固定する固定手段としての固定バンド３が備えられている構成としたことで、トノカバーシート２をトノカバーボードの下面１ｂ側に固定して収納することができる。
【００４０】
このため、トノカバーシート２を収納した時は、トノカバーシート２がトノカバーボード１の下の荷室に垂れ下がることがなく、また、荷室を遮らずトノカバーボード１下の荷室へ荷物の出し入れが容易に行えるようになる。
【００４１】
また、トノカバーボード１とトノカバーシート２と固定バンド３とで構成され、従来の巻き取り収納式のものに比べて構造が簡単で部品点数が少なく、重量を軽くできるため、トノカバーの車体への取付部の構造や取付部の車体側支持強度を高めるための補強の必要もないため、コストの低減が可能になるという効果が得られる。
【００４２】
また、トノカバーボード１はその外周縁部１１の全周にわたって下向きフランジ１１ａ〜１１ｄを有する断面略門型に形成されることにより、トノカバーボード１を軽量に保ちつつ剛性を上げることが可能になると共に、トノカバーボード１の下面１ｂ側にトノカバーシート２を隠れた状態に収納することができるようになる。
【００４３】
また、左右両側の下向きフランジ１１ｃ、１１ｄのトノカバーボード１前端縁部１ｃ側に、下端が開口され逆Ｕ字状に切欠されたラゲッジサイドトリム嵌合孔１１ｇを形成することで、これを車両後方荷室の左右両側の壁に備えたラゲッジサイドトリム（図示せず）に突出して設けられた円筒状のトノカバーボード嵌合突起（図示せず）に嵌合し、このラゲッジサイドトリムに設けられたトノカバーボード嵌合突起を支軸としてトノカバーボード１の後端縁部１ｄ側を持ち上げてトノカバーボード１を開閉可能に構成することができる。
【００４４】
また、トノカバーシート２が折畳み部２２で２つに折り畳み可能でトノカバーボード１の下面１ｂ側に折り畳んで上下に重ねて収納可能に構成したことで、トノカバーシート２が長くてもトノカバーボード１の下面１ｂ側に沿ってコンパクトに収納することができるようになる。
【００４５】
また、トノカバーシート２の折り畳み部は、折り曲げて２つに重ね縫製されていることにより折畳み部２２を形成している。このため、折畳み部２２を中心としてきれいに折り畳むことができるようになると共に、折り畳みを容易にしている。
【００４６】
また、固定バンド３はその一方の端部側である取付部３ａ、３ｂ、３ｃがトノカバーボード１の後端縁部１ｄ側に連結固定され、もう一方の端部側である係止部３ｄ、３ｅがトノカバーボード１の前端縁部１ｃ側に着脱可能に連結されるように構成されることで、トノカバーシート２の使用時に該トノカバーボード１の上面１ａ側に露出した状態になることを防止することができる。
【００４７】
また、固定バンド３がトノカバーボード１下の車両後方荷室に垂れ下がることがなく、この荷室への荷物の出し入れの邪魔になることも防止することができる。
【００４８】
また、トノカバーシート２が左右２分割され、各トノカバーシート２ａ、２ｂが、それぞれ独立して使用及び折り畳み収納が可能に構成されたことで、左右独立した座席４の使用状態、例えば、一方の座席をスライドさせるとか、リクライニングさせるとか、折り畳むような場合にも対応することができる。また、一方のトノカバーシートを使用し、他方のトノカバーシートを収納することもできるもので、その使用パターンを広げることができるようになる。
【００４９】
また、固定バンド３がトノカバーボード１の前端縁部１ｃと後端縁部１ｄとの間を平面視略Ｗ字状に形成されて配され、該略Ｗ字状の両端部３ａ、３ｂと中央部３ｃの３点（取付部）がトノカバーボード１における後側の下向きフランジ１１ｂの内側（内面１４）にそれぞれ連結固定され、残りの他の２点（係止部）３ｄ、３ｅがトノカバーボード１における前側の下向きフランジ１１ａ（前端縁１ｃ）の内側（内面１３）に対しそれぞれホック３１、３１で着脱可能に連結されるように構成されたことで、左右２分割されたトノカバーシート２ａ、２ｂを支持することができる。また、両トノカバーシート２ａ、２ｂの収納も、一方のトノカバーシート２ａ（２ｂ）の収納も可能とし、かつ、両トノカバーシート２ａ、２ｂのたるみを押さえて収納することができる。また、固定バンド３自身のたるみを少なく張ることができるようになる。
【００５０】
また、各トノカバーシート２ａ、２ｂの基端部２５がトノカバーボード１における前端縁部１ｃを形成する前側の下向きフランジ１１ａの内面１３へ、この内面１３に沿わせた状態でそれぞれ連結固定されている。このトノカバーボード１の前端縁部１ｃに連結固定された係止側のホック３１ｂ、３１ｂは、両トノカバーシート２ａ、２ｂにおける基端部２５側の連結部２４の内側面２４ａに備えられていて、各トノカバーシート２ａ、２ｂの使用時に係止側のホック３１ｂ、３１ｂが覆われる各トノカバーシート２ａ、２ｂ部分には、固定バンド３の係止部３ｄ、３ｅに設けられた被係止側の各ホック３１ａ、３１ａをそれぞれ係止側のホック３１ｂ、３１ｂに止めて連結させるための開口部２３、２３がそれぞれ穿設されている構成としたことで、トノカバーシート２ａ、２ｂの使用時においても、この開口部２３からのぞいている係止側のホック３１ｂ、３１ｂに固定バンド３に設けられた被係止側の各ホック３１ａ、３１ａを止めることができる。このため、固定バンド３をトノカバーボード１の下面１ｂ側に止めておくことができ、固定バンド３がトノカバーボード１下の荷室に垂れ下がることがなく、荷物の出し入れの邪魔になることがない。
【００５１】
以上、本発明の実施例を図面に基づき説明してきたが、本発明は上述の実施例に限られるものではなく、本発明の要旨を逸脱しない範囲の設計変更等があっても、本発明に含まれる。
【００５２】
例えば、実施例では、一枚のトノカバーシート２の中途部を折り曲げて重ね縫製したが、二枚のシートの端部を重ねて合わせて縫製するようにしてもよい。
また、縫製に代えて接着するようにしてもよい。
【００５３】
また、実施例では、固定手段として固定バンド３を用いたが、紐体やネット等であってもよい。
【００５４】
また、実施例では、トノカバーシート２を２つに折り畳んで収容するようにしたが、折り畳み回数や折り畳み方向は任意であり、また、短い場合は折り畳まずに収容するようにしてもよい。
【００５５】
また、実施例では、トノカバーシート２が左右２分割された例を示したが、分割されていない一枚ものであってもよい。
【００５６】
また、実施例では、トノカバーシート２の先端部２６側をその前端部にそれぞれ備えた前方が開口された挿入切欠を有する略Ｃ字状の係合フック２１を左右両座席４、４におけるヘッドレスト４１の支柱４２に対し着脱自在に係合して連結させるようにしたが、ホックや面ファスナー等で座席４、４のシートバック背面に着脱可能に連結させるようにしてもよい。
【００５７】
また、実施例では、トノカバーボード１をその外周縁部１１に下向きフランジ１１ａ〜１１ｄを有する断面略門型に形成したが、平板状であってもよい。
【００５８】
また、実施例では、トノカバーシート２の先端部２６側を座席４にに対し着脱可能にしたが、その他内装部品に着脱可能にしてもよい。
【図面の簡単な説明】
【００５９】
【図１】実施例のトノカバーにおけるトノカバーシート使用状態を示す斜視図である。
【図２】実施例のトノカバーにおけるトノカバーシートの使用状態を示す底面側斜視図である。
【図３】実施例のトノカバーにおけるトノカバーシートの折り畳み収納状態を示す底面図である。
【図４】実施例のトノカバーにおけるトノカバーシート使用状態を示す断面説明図である。
【図５】図４のＡ部詳細図である。
【図６】実施例のトノカバーにおけるトノカバーシート折り畳み収納状態を示す断面説明図である。
【図７】図６のＢ部詳細図である。
【符号の説明】
【００６０】
１  トノカバーボード
１ａ  上面
１ｂ  下面
１ｃ  前端縁部
１ｄ  後端縁部
１ｅ  左端縁部
１ｆ  右端縁部
１ｇ  外周
１ｈ  凹部
１１  外周縁部
１１ａ  前側の下向きフランジ
１１ｂ  後側の下向きフランジ
１１ｃ  左側の下向きフランジ
１１ｄ  右側の下向きフランジ
１１ｅ  下端縁
１１ｆ  下端縁
１１ｇ  ラゲッジサイドトリム嵌合孔
１２  紐
１２ａ  フック
１３  内面
１４  内面
２  トノカバーシート
２ａ  左側のトノカバーシート
２ｂ  右側のトノカバーシート
２１  係合フック
２２  折畳み部
２３  開口部
２４  連結部
２４ａ  内側面
２５  基端部
２６  先端部
２７  折返し部
３  固定バンド（固定手段）
３ａ  略Ｗ字状の端部（取付部）
３ｂ  略Ｗ字状の端部（取付部）
３ｃ  略Ｗ字状の中央部（取付部）
３ｄ  略Ｗ字状の他の点（係止部）
３ｅ  略Ｗ字状の他の点（係止部）
３１  ホック
３１ａ  被係止側のホック
３１ｂ  係止側のホック
４  座席（内装部品）
４１  ヘッドレスト
４２  支柱
【図１】
2009190544.tif 000003
【図２】
2009190544.tif 000004
【図３】
2009190544.tif 000005
【図４】
2009190544.tif 000006
【図５】
2009190544.tif 000007
【図６】
2009190544.tif 000008
【図７】
2009190544.tif 000009